(57)【要約】      （修正有）【課題】寿命が摩耗により短くなってしまうことを、容易かつ安価に防止することができるチェンを提供する。【解決手段】交互に連結されるピンリンク３８とローラリンク８を備え、循環経路に沿って互いに平行に走行する一対のチェン３４，３４であって、一対のチェン３４，３４の間に搬送手段３０が設けられ、ピンリンク３８が有する一対のピンリンクプレート４０のうち、搬送手段３０と反対側のピンリンクプレート４０にこの外側表面を覆う耐摩耗部材４２が設けられている。【選択図】図１
2009078910.tif 000002
【特許請求の範囲】
【請求項１】
交互に連結されるピンリンクとローラリンクを備え、循環経路に沿って互いに平行に走行する一対のチェンであって、
前記一対のチェンの間に搬送手段が設けられ、
前記ピンリンクが有する一対のピンリンクプレートのうち、前記搬送手段と反対側のピンリンクプレートにこの外側表面を覆う耐摩耗部材が設けられていることを特徴とするチェン。
【請求項２】
前記チェンがこの循環経路の少なくとも一対のスプロケットの下側を略水平方向に通る場合において、
前記耐摩耗部材が、前記ピンリンクプレートの外側表面における、この高さ方向の下端から一定高さまでの範囲を覆っていることを特徴とする請求項１に記載のチェン。
【請求項３】
前記チェンがこの循環経路の少なくとも一対のスプロケットの下側を略水平方向に通る場合において、
前記耐摩耗部材が、前記ピンリンクプレートにおけるその進行方向に略平行である下側の面を覆うように設けられていることを特徴とする請求項１又は２に記載のチェン。
【請求項４】
一対の互いに対向する方向の間隔が異なる前記ピンリンクと前記ローラリンクが長さ方向に一体化されて、進行方向に互いに隣り合うピンリンク側の端部とローラリンク側の端部が互いに嵌合して連結される型式のオフセットリンクを用いた場合の、ピンリンク側の端部の前記外側表面又は／及びその進行方向に略平行である下側の面に耐摩耗部材が設けられていることを特徴とする請求項１から３のいずれかに記載のチェン。
【発明の詳細な説明】
【技術分野】
【０００１】
本発明は、鉱物等の硬い搬送対象物を搬送する搬送装置に用いられるチェンに関するものである。
【背景技術】
【０００２】
図１２及び図１３は、従来の搬送装置２の一部を示す側面図、及び平面図である。この従来の搬送装置２は、水平方向に伸びて互いに平行に並んで配置される２本のチェン４を備えている。この２本のチェン４は、無端チェンであり、かつ、回転軸が略水平であって略水平方向に離れて配置される不図示の複数のスプロケット間を、略水平方向に循環駆動するものである。図１２及び図１３のチェン４は、少なくとも図示されている範囲内で、複数のスプロケット間の循環経路におけるスプロケットの下側を略水平方向に走行している状態を示すものである。
【０００３】
チェン４は、図１４に示すように、交互に連結される複数のピンリンク６と複数のローラリンク８とを備えて構成されている。チェン４のピンリンク６のそれぞれは、図１４及び図１５に示すように、一対のピンリンクプレート１０、及び２本のピン１２を備えている。
【０００４】
ピンリンク６における一対のピンリンクプレート１０のそれぞれには、図１４に示すように、２つのピン用孔１４が、チェン４の長さ方向に一定間隔だけ離れて形成されている。ピンリンク６の２本のピン１２のそれぞれは、図１５に示すように、その長さ中間部分において、後述するローラリンク８のブシュ２２を軸支しており、このブシュ２２の両端からその長さ方向の両外側に突出したピン１２の長さ部分が、互いに対向する一対のピンリンクプレート１０のそれぞれのピン用孔１４に嵌合している。
【０００５】
また、ピンリンク６のピン１２は、その長さ方向の両端部１２ａ，１２ｂのそれぞれが、一対のピンリンクプレート１０のそれぞれの外側に突出している。このピン１２の一方の端部１２ａは、他の長さ部分よりも若干太く形成されていることにより抜けないようになっている。また、ピン１２の他方の端部１２ｂには、その軸線と交差する方向に貫通する抜止めピン１６が打ち込まれている。
【０００６】
また、チェン４のローラリンク８のそれぞれは、一対のローラリンクプレート２０、２本のブシュ２２、及び２個のローラ２４を備えている。ローラリンク８のローラリンクプレート２０には、ピンリンク６のピンリンクプレート１０のピン用孔１４に対応するブシュ用孔２６が形成されている。
【０００７】
ローラリンク８のブシュ２２は、その長さ中間部分において、ローラ２４を軸支しており、このローラ２４の両端からその長さ方向の両外側に突出したブシュ２２の長さ部分が、互いに対向する一対のローラリンクプレート２０のそれぞれのブシュ用孔２６に嵌合している。このブシュ２２は、その長さ方向の両端部のそれぞれが、一対のローラリンクプレート２０のそれぞれの外側に突出している。
【０００８】
また、チェン４のローラリンク８のローラリンクプレート２０と、ピンリンク６のピンリンクプレート１０との間には、計４個のオイルシール２８のそれぞれが配置されている。
【０００９】
また、搬送装置２は、図１２及び図１３に示すように、チェン４により搬送される複数のバケット３０を備えている。この複数のバケット３０のそれぞれは、２本のチェン４が互いに対向する方向に幅を有しており、この幅方向の両端部のそれぞれが、２本のチェン４のそれぞれに、アタッチメント３２等を介して連結されている。バケット３０同士は、チェン４の長さ方向に互いに一定の間隔を空けて配置されている。また、バケット３０は、その進行方向（矢印Ｓ）の前側が開放されていることにより、進行方向の前側から搬送対象物を内部に取り込むようになっている。
【００１０】
ここで、この搬送装置２は、上述したように、その２本のチェン４のそれぞれが、循環駆動されるようになっている。このため、搬送装置２のチェン４のそれぞれ及びバケット３０は、図示しないがその全体の搬送経路の往路が下側に、復路が上側に配置されるようになっており、復路と往路では、互いの上下関係が逆転するようになっている。
【００１１】
このような従来の搬送装置２は、図示しないが、破砕した鉄鉱石もしくは銅鉱石等の鉱石、又は他の破砕した鉱物等の搬送対象物を、その集積所から他の場所や装置等まで搬送するのに用いられている。搬送装置２のバケット３０は、搬送対象物の集積所内をチェン４によりほぼ水平に搬送されるようになっており、その際に、集積された搬送対象物の上層部分をほぼ水平にすくい取って、搬送対象物を内部に取り込むようになっている。
【発明の開示】
【発明が解決しようとする課題】
【００１２】
しかしながら、上記従来の搬送装置２のチェン４においては、このチェン４が鉱石や鉱物等の搬送対象物と接触して摩耗してしまうため、その寿命が短くなってしまうという問題があった。
【００１３】
つまり、搬送装置２は、そのチェン４を駆動してバケット３０により搬送対象物をすくい取りながら、これらチェン４及びバケット３０の進行方向と略直角の方向に水平移動していくようになっている。このため、搬送装置２のチェン４は、水平移動する搬送装置２全体の進行方向上にある搬送対象物に接触してしまうので、図１６及び図１７に示すように、ピンリンクプレート１０の下部等が徐々に摩り減って変形してしまうという問題があった。
【００１４】
また、このようなチェン４の摩耗対策として、このチェン４の表面に溶解した材料を吹き付けて皮膜を形成する溶射などの表面処理を施したり、チェン４自体を硬い材質で製作したりした場合には、チェン４の製作費用が高額になるため、現実的ではないという問題があった。
【００１５】
そこで本発明は、上記問題点に鑑みて、寿命が摩耗により短くなってしまうことを、容易かつ安価に防止することができるチェンを提供することを課題とするものである。
【課題を解決するための手段】
【００１６】
上記課題を解決するために本発明は、
交互に連結されるピンリンクとローラリンクを備え、循環経路に沿って互いに平行に走行する一対のチェンであって、
前記一対のチェンの間に搬送手段が設けられ、
前記ピンリンクが有する一対のピンリンクプレートのうち、前記搬送手段と反対側のピンリンクプレートにこの外側表面を覆う耐摩耗部材が設けられていることを特徴とするものである。
【００１７】
また、本発明によるチェンは、
前記チェンがこの循環経路の少なくとも一対のスプロケットの下側を略水平方向に通る場合において、
前記耐摩耗部材が、前記ピンリンクプレートの外側表面における、この高さ方向の下端から一定高さまでの範囲を覆っていることを特徴とするものである。
【００１８】
また、本発明によるチェンは、
前記チェンがこの循環経路の少なくとも一対のスプロケットの下側を略水平方向に通る場合において、
前記耐摩耗部材が、前記ピンリンクプレートにおけるその進行方向に略平行である下側の面を覆うように設けられていることを特徴とするものである。
【００１９】
また、本発明によるチェンは、
一対の互いに対向する方向の間隔が異なる前記ピンリンクと前記ローラリンクが長さ方向に一体化されて、進行方向に互いに隣り合うピンリンク側の端部とローラリンク側の端部が互いに嵌合して連結される型式のオフセットリンクを用いた場合の、ピンリンク側の端部の前記外側表面又は／及びその進行方向に略平行である下側の面に耐摩耗部材が設けられていることを特徴とするものである。
【発明の効果】
【００２０】
このような本発明のチェンによれば、
交互に連結されるピンリンクとローラリンクを備え、循環経路に沿って互いに平行に走行する一対のチェンであって、
前記一対のチェンの間に搬送手段が設けられ、
前記ピンリンクが有する一対のピンリンクプレートのうち、前記搬送手段と反対側のピンリンクプレートにこの外側表面を覆う耐摩耗部材が設けられていることにより、
当該チェンの寿命が摩耗により短くなってしまうことを、容易かつ安価に防止することができる。
【００２１】
また、本発明のチェンによれば、
前記チェンがこの循環経路の少なくとも一対のスプロケットの下側を略水平方向に通る場合において、
前記耐摩耗部材が、前記ピンリンクプレートの外側表面における、この高さ方向の下端から一定高さまでの範囲を覆っていることにより、
当該チェンの寿命が摩耗により短くなってしまうことを、さらに容易かつ安価に防止することができる。
【００２２】
また、本発明のチェンによれば、
前記チェンがこの循環経路の少なくとも一対のスプロケットの下側を略水平方向に通る場合において、
前記耐摩耗部材が、前記ピンリンクプレートにおけるその進行方向に略平行である下側の面を覆うように設けられていることにより、
当該チェンの寿命が摩耗により短くなってしまうことを、さらに容易かつ安価に防止することができる。
【００２３】
また、本発明のチェンによれば、
一対の互いに対向する方向の間隔が異なる前記ピンリンクと前記ローラリンクが長さ方向に一体化されて、進行方向に互いに隣り合うピンリンク側の端部とローラリンク側の端部が互いに嵌合して連結される型式のオフセットリンクを用いた場合の、ピンリンク側の端部の前記外側表面又は／及びその進行方向に略平行である下側の面に耐摩耗部材が設けられていることにより、
オフセットリンクを用いたチェンの寿命が摩耗により短くなってしまうことを容易かつ安価に防止することができる。
【発明を実施するための最良の形態】
【００２４】
以下、本発明に係るチェンを実施するための最良の形態について、図面に基づいて具体的に説明する。
図１から図４は、本発明の第１の実施の形態に係るチェン３４について説明するために参照する図である。従来と同様の部分には同じ符号を用いて説明し、従来と同様の構成についての重複する説明は省略するものとする。
【００２５】
図１及び図２のチェン３４は、上側と下側で互いに略平行となっている循環経路（図示せず）を走行するものとし、少なくとも図示されている範囲内で、複数のスプロケット間の循環経路におけるスプロケットの下側を略水平方向に走行している状態を示すものである。
【００２６】
図１及び図２に示すように、本実施の形態に係るチェン３４のそれぞれは、前記従来のチェン４におけるピンリンク６の代わりに、構成がピンリンク６と異なるピンリンク３８を備えている。このピンリンク３８は、図１３に示す前記従来のチェン４におけるピンリンク６のピンリンクプレート１０が、ピンリンクプレート４０に置き換えられている。このピンリンクプレート４０は、図１に示すように、その下側の縁が前端部から後端部まで一直線状に形成されている。
【００２７】
また、ピンリンク３８のそれぞれには、図２に示すその一対のピンリンクプレート４０，１０のうちの、バケット３０（搬送手段）とは反対側の（バケット３０から遠い側の）ピンリンクプレート４０における、バケット３０とは反対側の面４０ａに、図３及び図４に示すように、耐摩耗部材４２が装着されている。
【００２８】
この耐摩耗部材４２は、図４に示すように、板状部材であって、ピンリンクプレート４０の面４０ａに平行に接触し、不図示のボルト又は溶接等により、このピンリンクプレート４０に一体的に固定されている。
【００２９】
また、耐摩耗部材４２は、その厚さが、ピンリンクプレート４０の面４０ａの外側に突出するピン１２の先端部１２ａの突出長さよりも小さい寸法の厚さに形成されている。そして、耐摩耗部材４２は、図３に示すように、ピンリンクプレート４０の面４０ａにおける、その高さ方向（図３中上下方向）の下端から、ピン１２よりも下側の一定高さまでの範囲を、進行方向（図３及び図４中、左右方向）の前端から後端にわたって覆っている。
【００３０】
このような本実施の形態に係るチェン３４によれば、そのピンリンク３８におけるピンリンクプレート４０の摩耗し易い部分を耐摩耗部材４２が覆って保護しているので、チェン３４の寿命が摩耗により短くなってしまうことを、容易かつ安価に防止することができる。
【００３１】
次に、図５及び図６は、本発明の第２の実施の形態に係るチェン５０について説明するために参照する図である。前記第１の実施の形態に係るチェン３４と同様の部分には同じ符号を用いて説明し、同様の構成についての重複する説明は省略するものとする。
【００３２】
本実施の形態に係るチェン５０は、図５及び図６に示すように、前記第１の実施の形態に係るチェン３４の耐摩耗部材４２の代わりに、耐摩耗部材５６を備えている。この耐摩耗部材５６は、前記第１の実施の形態に係るチェン３４の耐摩耗部材４２と同様に、不図示のボルト又は溶接等により、ピンリンクプレート４０に一体的に固定され、ピンリンクプレート４０の面４０ａにおける、その高さ方向（図５中上下方向）の下端から、ピン１２よりも下側の一定高さまでの範囲を、進行方向（図５及び図６中、左右方向）の前端から後端にわたって覆っている。
【００３３】
また、耐摩耗部材５６は、これが面４０ａを覆っている厚さと同じ厚さで、ピンリンクプレート４０における進行方向（図５及び図６中左右方向）に略平行である図５中下側の面４０ｂ、並びに、この下側の面４０ｂと進行方向の前方側及び後方側のそれぞれにおいて繋がっている曲面４０ｃ，４０ｄの下側の一部分を覆っている。
【００３４】
このような本実施の形態に係るチェン５０によれば、前記第１の実施の形態と同様に、そのピンリンク３８におけるピンリンクプレート４０の摩耗し易い部分を耐摩耗部材５６が覆って保護しているので、前記第１の実施の形態と同様に、チェン５０の寿命が摩耗により短くなってしまうことを、容易かつ安価に防止することができる。
【００３５】
次に、図７及び図８は、本発明の第３の実施の形態に係るチェン７０について説明するために参照する図である。
【００３６】
本実施の形態に係るチェン７０は、図７及び図８に示すように、前記第１の実施の形態に係るチェン３４の耐摩耗部材４２の代わりに、耐摩耗部材７６を備えている。この耐摩耗部材７６は、前記第１の実施の形態に係るチェン３４の耐摩耗部材４２と同様に、不図示のボルト又は溶接等により、ピンリンクプレート４０に一体的に固定されている。
【００３７】
また、耐摩耗部材７６は、ピンリンクプレート４０の面４０ａにおける、その進行方向（図７中、左右方向）の長さ範囲のうちの略中央の一定長さ範囲においてのみ、高さ方向（図７中、上下方向）の下端から一定高さまでの範囲を覆うようになっている。
【００３８】
また、耐摩耗部材７６は、これが面４０ａを覆っている厚さと同じ厚さで、ピンリンクプレート４０における進行方向（図７中、左右方向）に略平行である図７中下側の面４０ｂをも覆っている。
【００３９】
このような本実施の形態に係るチェン７０によれば、前記第１、第２の実施の形態と同様に、そのピンリンク３８におけるピンリンクプレート４０の摩耗し易い部分を耐摩耗部材７６が覆って保護しているので、前記第１、第２の実施の形態と同様に、チェン７０の寿命が摩耗により短くなってしまうことを、容易かつ安価に防止することができる。
【００４０】
次に、図９から図１１は、本発明の第４の実施の形態に係るチェン９０について説明するために参照する図である。
【００４１】
本実施の形態に係るチェン９０は、前記第１の実施の形態に係るチェン３４の、交互に連結されるピンリンク３８及びローラリンク８の代わりに、図９及び図１０に示すように、互いに連結される複数のオフセットリンク９２を備えて構成されている。
【００４２】
このチェン９０のオフセットリンク９２は、図１０に示すように、一対のオフセットリンクプレート９４を備えている。この一対のオフセットリンクプレート９４のそれぞれは、その進行方向（図１０中左右方向）の長さ範囲の中の、中央の一定長さ部分が、互いに対向する方向（図１０中上下方向）の間隔が後方側に向かって狭くなっていくよう傾斜して形成されている。
【００４３】
そして、チェン９０のオフセットリンク９２は、この一対のオフセットリンクプレート９４のそれぞれが、このように傾斜して形成される長さ部分よりも前方側の長さ部分、及び、後方側の長さ部分のそれぞれにおいて、互いに平行となるように形成されている。
【００４４】
また、オフセットリンク９２の一対のオフセットリンクプレート９４は、その進行方向のほぼ前側半分が、前記第１の実施の形態に係るピンリンク３８の一対のピンリンクプレート４０，１０間と同様の間隔に構成され、ほぼ後側半分がローラリンク８の一対のローラリンクプレート２０，２０間と同様の間隔に構成されている。これにより、チェン９０のオフセットリンク９２のそれぞれは、図１０，１１に示すように、そのピン１２が、進行方向前方に配置されている別個のオフセットリンク９２の後側半分のブシュ２２を軸支して次々と連結するようになっている。
【００４５】
また、オフセットリンク９２のそれぞれには、図９及び図１０に示すように、その一対のオフセットリンクプレート９４のうちの、バケット３０（図２参照）とは反対側（図１０中上側）のオフセットリンクプレート９４に耐摩耗部材９６が設けられている。耐摩耗部材９６は、このオフセットリンクプレート９４における、他方のオフセットリンクプレート９４の前方側の長さ部分と互いに同一平面上にある前方側の長さ部分の、バケット３０（図２参照）とは反対側（図１０中上側）の面９４ａに設けられている。
【００４６】
この耐摩耗部材９６は、図１０及び図１１に示すように、板状部材であって、オフセットリンクプレート９４の面９４ａに直接接触して、不図示のボルト又は溶接等により、このオフセットリンクプレート９４に一体的に固定されている。
【００４７】
また、耐摩耗部材９６は、その厚さが、オフセットリンクプレート９４の面９４ａの外側に突出するピン１２の先端部１２ａの突出長さよりも小さい寸法の厚さに形成されている。そして、耐摩耗部材９６は、図９に示すように、オフセットリンクプレート９４の面９４ａにおける、その高さ方向（図９中上下方向）の下端から、ピン１２よりも下側の一定高さまでの範囲を、前記前側半分の長さにわたって覆っている。
【００４８】
このような本実施の形態に係るチェン９０によれば、そのオフセットリンク９２におけるオフセットリンクプレート９４の摩耗し易い部分を耐摩耗部材９６が覆って保護しているので、チェン９０の寿命が摩耗により短くなってしまうことを、容易かつ安価に防止することができる。
【００４９】
なお、前記第１から第４の実施の形態に係るチェン３４，５０，７０，９０においては、その耐摩耗部材４２，５６，７６，９６の板厚が、ピン１２の先端部１２ａの突出長さよりも小さい寸法の厚さに形成されていたが、このピン１２の先端部１２ａの突出長さよりも大きい寸法の厚さ、又は前記突出長さと同じ寸法の厚さとなるように形成されていてもよい。
【００５０】
また、前記第１から第４の実施の形態に係るチェン３４，５０，７０，９０においては、その耐摩耗部材４２，５６，７６，９６が、ピンリンクプレート４０の面４０ａ、又はオフセットリンクプレート９４の面９４ａにおける、その高さ方向（図３，５，７，９中上下方向）の下端から、ピン１２よりも下側の一定高さまでの範囲を覆うようになっていたが、ピン１２より上側の一定高さまでの範囲を覆うようになっていてもよい。或いは、ピンリンクプレート４０の面４０ａ、又はオフセットリンクプレート９４の面９４ａの全領域を覆うようになっていてもよい。
【００５１】
また、前記第３の実施の形態に係るチェン７０においては、図７及び図８に示すように、その耐摩耗部材７６が、ピンリンクプレート４０の互いに直交する面４０ａと４０ｂの両方を覆うようになっていたが、面４０ａだけを覆うようになっていてもよい。
【００５２】
また、前記第４の実施の形態に係るチェン９０においては、その耐摩耗部材９６が、オフセットリンクプレート９４の面９４ａだけを覆うようになっていたが、オフセットリンクプレート９４における図９中の下側の面９４ｂ、並びに、この下側の面９４ｂと進行方向の前方側において繋がっている、オフセットリンクプレート９４の前方側の曲面９４ｃの下側の一部分をも覆うようになっていてもよい。
【００５３】
また、前記第１から第４の実施の形態に係るチェン３４，５０，７０，９０においては、そのピンリンクプレート４０，５４，７４とローラリンクプレート２０との間、又はオフセットリンクプレート９４同士の間にオイルシール２８を備えていたが、オイルシール２８を備えないようになっていてもよい。
【００５４】
また、前記実施の形態においては、上側と下側で互いに略平行となっている循環経路のうちの、スプロケットの下側を略水平方向に走行している状態のチェンを示す場合について説明したが、チェンの循環経路は、スプロケットの下側を略水平方向に走行するものでありさえすれば、スプロケットの上側は必ずしもスプロケットの下側と平行となっている必要はなく、チェンの循環経路はスプロケットが３つ以上により構成されるものであってもよい。
【００５５】
また、前記第４の実施の形態に係るチェン９０のオフセットリンク９２は、その進行方向のほぼ前側半分が、前記第１の実施の形態に係るチェン３４のピンリンク３８と同様に構成され、ほぼ後側半分がローラリンク８と同様に構成されていたが、逆に、ほぼ前側半分がローラリンク８と同様に構成され、ほぼ後側半分がピンリンク３８と同様に構成されていてもよい。
【図面の簡単な説明】
【００５６】
【図１】本発明の第１の実施の形態に係るチェン３４の一部、及びバケット３０を示す側面図である。
【図２】本発明の第１の実施の形態に係るチェン３４の一部、及びバケット３０を示す平面図である。
【図３】図１に示すチェン３４のピンリンク３８、耐摩耗部材４２、及びローラリンク８を示す拡大側面図である。
【図４】図３に示すチェン３４のピンリンク３８、耐摩耗部材４２、及びローラリンク８を示す下面図である。
【図５】本発明の第２の実施の形態に係るチェン５０のピンリンク３８、耐摩耗部材５６、及びローラリンク８を示す拡大側面図である。
【図６】図５に示すチェン５０のピンリンク３８、耐摩耗部材５６、及びローラリンク８を示す下面図である。
【図７】本発明の第３の実施の形態に係るチェン７０のピンリンク３８、耐摩耗部材７６、及びローラリンク８を示す拡大側面図である。
【図８】図７に示すチェン７０のピンリンク３８、耐摩耗部材７６、及びローラリンク８を示す下面図である。
【図９】本発明の第４の実施の形態に係るチェン９０のオフセットリンク９２及び耐摩耗部材９６を示す拡大側面図である。
【図１０】図９に示すチェン９０のオフセットリンク９２及び耐摩耗部材９６を示す下面図である。
【図１１】図９中のチェン９０のＣ−Ｃ線断面図であって、そのオフセットリンク９２及び耐摩耗部材９６を示す図である。
【図１２】従来の搬送装置２のチェン４の一部、及びバケット３０を示す側面図である。
【図１３】従来の搬送装置２のチェン４の一部、及びバケット３０を示す平面図である。
【図１４】図１２に示すチェン４のピンリンク６及びローラリンク８を示す拡大側面図である。
【図１５】図１４中のチェン４のＡ−Ａ線断面図であって、そのピンリンク６及びローラリンク８を示す図である。
【図１６】図１２に示すチェン４のピンリンク６及びローラリンク８を示す拡大側面図であって、ピンリンク６等が摩耗により変形した状態を示す図である。
【図１７】図１６中のチェン４のＢ−Ｂ線断面図であって、ピンリンク６及びローラリンク８を示すと共にピンリンク６等が摩耗により変形した状態を示す図である。
【符号の説明】
【００５７】
２  搬送装置
４  チェン
６  ピンリンク
８  ローラリンク
１０  ピンリンクプレート
１２  ピン
１２ａ，１２ｂ  端部
１４  ピン用孔
１６  抜止めピン
２０  ローラリンクプレート
２２  ブシュ
２４  ローラ
２６  ブシュ用孔
２８  オイルシール
３０  バケット
３２  アタッチメント
３４  チェン
３８  ピンリンク
４０  ピンリンクプレート
４０ａ，４０ｂ  面
４２  耐摩耗部材
５０  チェン
５６  耐摩耗部材
７０  チェン
７６  耐摩耗部材
９０  チェン
９２  オフセットリンク
９４  オフセットリンクプレート
９４ａ，９４ｂ  面
９６  耐摩耗部材
【図１】
2009078910.tif 000003
【図２】
2009078910.tif 000004
【図３】
2009078910.tif 000005
【図４】
2009078910.tif 000006
【図５】
2009078910.tif 000007
【図６】
2009078910.tif 000008
【図７】
2009078910.tif 000009
【図８】
2009078910.tif 000010
【図９】
2009078910.tif 000011
【図１０】
2009078910.tif 000012
【図１１】
2009078910.tif 000013
【図１２】
2009078910.tif 000014
【図１３】
2009078910.tif 000015
【図１４】
2009078910.tif 000016
【図１５】
2009078910.tif 000017
【図１６】
2009078910.tif 000018
【図１７】
2009078910.tif 000019